(57)【要約】 【課題】  建物や施設等に設置されたセンサーから出力されたデータの利便性を向上させることができると共に、ユーザに対して有益な情報を提示することができる情報提供システムおよびデータ生成装置を提供する。【解決手段】  オブジェクト化部１０６は、記憶部１１０から設定情報を読み出して参照すると共に、内部クロックが示す時間情報（時刻情報）を参照する。設定情報は、場所、データの種別、およびデータの形式等に関する情報を含む。オブジェクト化部１０６は、この設定情報および時間情報に基づいて、センサーからの出力結果を示すデジタルデータからオブジェクトデータを生成する。このオブジェクトデータは、汎用的な意味付けがなされていると共に、識別可能なデータとなる。【選択図】    図２
2005242534.tif 000002
【特許請求の範囲】
【請求項１】
センサーからの出力値を示す出力データに対して、該出力データを識別するための情報を付加し、オブジェクトデータを生成するデータ生成装置と、
ネットワークを介して前記データ生成装置から前記オブジェクトデータを取得し、該オブジェクトデータに基づいた情報を、ユーザが所持するユーザ端末へ、前記ネットワークを介して送信するネットワーク装置と、
を具備することを特徴とする情報提供システム。
【請求項２】
前記データ生成装置は、
前記オブジェクトデータの生成に必要な設定情報を記憶する記憶手段と、
前記記憶手段から前記設定情報を読み出すと共に、該設定情報および時間情報に基づいて、前記出力データに対して、該出力データを識別するための情報を付加する情報付加手段と、
を具備することを特徴とする請求項１に記載の情報提供システム。
【請求項３】
前記オブジェクトデータは、前記出力データと、時間情報に基づいた時間を示すデータと、場所を示すデータと、前記出力データの種別および形式を示すデータとを含むことを特徴とする請求項１または請求項２に記載の情報提供システム。
【請求項４】
前記設定情報は、場所を識別する情報と、前記出力データの種別および形式を識別する情報とを含むことを特徴とする請求項２または請求項３に記載の情報提供システム。
【請求項５】
前記設定情報はさらに、前記出力データのデータ形式を変換するための変換情報を含むことを特徴とする請求項４に記載の情報提供システム。
【請求項６】
センサーからの出力値を示す出力データに対して、該出力データを識別するための情報を付加し、オブジェクトデータを生成するデータ生成装置。
【請求項７】
前記オブジェクトデータの生成に必要な設定情報を記憶する記憶手段と、
前記記憶手段から前記設定情報を読み出すと共に、該設定情報および時間情報に基づいて、前記出力データに対して、該出力データを識別するための情報を付加する情報付加手段と、
を具備することを特徴とする請求項６に記載のデータ生成装置。
【請求項８】
前記オブジェクトデータは、前記出力データと、時間情報に基づいた時間を示すデータと、場所を示すデータと、前記出力データの種別および形式を示すデータとを含むことを特徴とする請求項６または請求項７に記載のデータ生成装置。
【請求項９】
前記設定情報は、場所を識別する情報と、前記出力データの種別および形式を識別する情報とを含むことを特徴とする請求項７または請求項８に記載のデータ生成装置。
【請求項１０】
前記設定情報はさらに、前記出力データのデータ形式を変換するための変換情報を含むことを特徴とする請求項９に記載のデータ生成装置。
【発明の詳細な説明】
【技術分野】
【０００１】
本発明は、電力・環境・エネルギー等の分野におけるデータおよび情報の活用を図った情報提供システムおよびデータ生成装置に関する。
【背景技術】
【０００２】
従来、建物等に設置された管理対象機器から情報を収集し、その情報に基づいたサービスを提供するシステムがある。例えば、特許文献１には、管理対象機器から収集した、管理対象機器の運転状態を示す情報に基づいて、管理対象機器の運転を制御するサーバーシステムが記載されている。また、特許文献２には、エネルギー低減を目的とするプログラムによって管理対象機器を運用すると共に、管理対象機器から運転状況の計測値を収集し、運用結果を今後の運用にフィードバックさせる設備管理装置が記載されている。また、特許文献３には、分散配置された圧縮機から情報を取り込み、圧縮機の運転状況を示す情報を保守・メンテナンス部門に送信することにより、圧縮機の故障を防止することができる遠隔監視システムが記載されている。
【特許文献１】特開２００２−１０９０１８号公報
【特許文献２】特開２００１−３０６１３４号公報
【特許文献３】特開２００３−９１３１３号公報
【発明の開示】
【発明が解決しようとする課題】
【０００３】
従来、建物や施設等に設置されたセンサーから出力されたデータは単なる数値を示すだけのものであり、そのデータの解釈はそのデータを利用するシステムに依存していた。したがって、あるシステムにおいては意味のあるデータであっても、データを解釈するための仕様が異なる他のシステムにおいては、意味を持たない（あるいは解釈の結果が元のデータの意味と異なる）データとなってしまうという問題があった。
【０００４】
また、センサーから出力されたデータは単なる数値データであり、データ自身にはそのデータを識別するための情報が付加されていないため、多数のセンサーから出力されたデータを利用する場合に、膨大なデータの中からあるデータを識別することが困難であった。さらに、センサーから出力されたデータに基づいて、管理対象機器の計測・制御を行う計測・制御機器から出力されるデータの形式は、その計測・制御機器を管理する専門メーカに依存した形式であった。そのため、データ間相互の互換性や再利用性が大変低く、そのデータを利用するシステムやサービスとの連携・連動が困難であった。以上のことから、センサーから出力されたデータに基づいて、ユーザに対して有益な情報を提示することが困難であった。
【０００５】
本発明は、上述した問題点に鑑みてなされたものであって、建物や施設等に設置されたセンサーから出力されたデータの利便性を向上させることができると共に、ユーザに対して有益な情報を提示することができる情報提供システムおよびデータ生成装置を提供することを目的とする。
【課題を解決するための手段】
【０００６】
本発明は上記の課題を解決するためになされたもので、請求項１に記載の発明は、センサーからの出力値を示す出力データに対して、該出力データを識別するための情報を付加し、オブジェクトデータを生成するデータ生成装置と、ネットワークを介して前記データ生成装置から前記オブジェクトデータを取得し、該オブジェクトデータに基づいた情報を、ユーザが所持するユーザ端末へ、前記ネットワークを介して送信するネットワーク装置とを具備することを特徴とする情報提供システムである。
【０００７】
請求項２に記載の発明は、請求項１に記載の情報提供システムにおいて、前記データ生成装置は、前記オブジェクトデータの生成に必要な設定情報を記憶する記憶手段と、前記記憶手段から前記設定情報を読み出すと共に、該設定情報および時間情報に基づいて、前記出力データに対して、該出力データを識別するための情報を付加する情報付加手段とを具備することを特徴とする。
【０００８】
請求項３に記載の発明は、請求項１または請求項２に記載の情報提供システムにおいて、前記オブジェクトデータは、前記出力データと、時間情報に基づいた時間を示すデータと、場所を示すデータと、前記出力データの種別および形式を示すデータとを含むことを特徴とする。
【０００９】
請求項４に記載の発明は、請求項２または請求項３に記載の情報提供システムにおいて、前記設定情報は、場所を識別する情報と、前記出力データの種別および形式を識別する情報とを含むことを特徴とする。
【００１０】
請求項５に記載の発明は、請求項４に記載の情報提供システムにおいて、前記設定情報はさらに、前記出力データのデータ形式を変換するための変換情報を含むことを特徴とする。
【００１１】
請求項６に記載の発明は、センサーからの出力値を示す出力データに対して、該出力データを識別するための情報を付加し、オブジェクトデータを生成するデータ生成装置である。
【００１２】
請求項７に記載の発明は、請求項６に記載のデータ生成装置において、前記オブジェクトデータの生成に必要な設定情報を記憶する記憶手段と、前記記憶手段から前記設定情報を読み出すと共に、該設定情報および時間情報に基づいて、前記出力データに対して、該出力データを識別するための情報を付加する情報付加手段とを具備することを特徴とする。
【００１３】
請求項８に記載の発明は、請求項６または請求項７に記載のデータ生成装置において、前記オブジェクトデータは、前記出力データと、時間情報に基づいた時間を示すデータと、場所を示すデータと、前記出力データの種別および形式を示すデータとを含むことを特徴とする。
【００１４】
請求項９に記載の発明は、請求項７または請求項８に記載のデータ生成装置において、前記設定情報は、場所を識別する情報と、前記出力データの種別および形式を識別する情報とを含むことを特徴とする。
【００１５】
請求項１０に記載の発明は、請求項９に記載のデータ生成装置において、前記設定情報はさらに、前記出力データのデータ形式を変換するための変換情報を含むことを特徴とする。
【発明の効果】
【００１６】
本発明によれば、建物や施設等に設置されたセンサーから出力されたデータに対して、データを唯一に特定するための意味付けを行うようにしたので、センサーから出力されたデータの利便性を向上させることができるという効果が得られる。また、ユーザに対して有益な情報を提示することができるという効果も得られる。
【発明を実施するための最良の形態】
【００１７】
以下、図面を参照し、本発明を実施するための最良の形態について説明する。図１は、本発明の一実施形態による情報提供システムの構成を示すブロック図である。情報提供システムは、ネットワーク１、データ生成装置１０、ユーザー端末２０、サーバーシステム３０〜３２、および分析サーバー４０を備えている。ネットワーク１は、公衆インターネット回線や、電話網、光ネットワーク等の様々な形態のネットワークである。
【００１８】
データ生成装置１０は、建物・施設・設備等に設置されたセンサーから出力されたデータに対して汎用的な意味付けを行い、オブジェクトデータを生成する。ユーザー端末２０は、情報提供の対象となるユーザー（クライアント）によって操作される端末である。ユーザ端末２０は、汎用のパーソナルコンピュータ、携帯電話、ＰＤＡ（Ｐｅｒｓｏｎａｌ  Ｄｉｇｉｔａｌ  Ａｓｉｓｔａｎｃｅ）等の、ネットワーク接続機能を備えた端末である。ユーザー端末２０の数は任意である。
【００１９】
サーバーシステム３０〜３２は、データ生成装置１０から出力されたデータを、ネットワーク１を介して取得し、取得したデータに対して様々な処理を行う。サーバーシステム３０〜３２の構成は以下のとおりである。サーバーシステム３０は、ＷＥＢサーバー、アプリケーションサーバー、およびデータベースサーバーを備えている。サーバーシステム３１は、ネットワーク１に接続されたＷＥＢサーバー３１０、ネットワーク１に接続されたアプリケーションサーバー３１１、およびアプリケーションサーバー３１１に接続されたデータベースサーバー３１２を備えている。サーバーシステム３２は、ＷＥＢサーバーおよびアプリケーションサーバーを備えたサーバーシステム３２０と、ネットワーク１に接続されたデータベースサーバー３２１とを備えている。分析サーバー４０は、入力されたデータに対して様々な分析処理を行う。
【００２０】
上記のサーバーシステム３０〜３２内には、任意の数のサーバーが設置可能である。また、サーバーシステム３０〜３２は、図示した構成以外の構成であってもよい。すなわち、これらのサーバーシステム３０〜３２の構成に関しては、任意の拡張が可能である。サーバーシステム３０〜３２等には、ネットワーク１に対して接続する環境と、データ生成装置１０およびユーザー端末２０とデータの送受信を行う通信環境とを備えたネットワーク装置（ＷＥＢサーバー等のコンピュータ）が少なくとも備わっていればよい。
【００２１】
各サーバーシステム３０〜３２および分析サーバー４０とデータ生成装置１０との通信は、ＳＯＡＰ（Ｓｉｍｐｌｅ  Ｏｂｊｅｃｔ  Ａｃｃｅｓｓ  Ｐｒｏｔｏｃｏｌ）に基づいて行われる。ＳＯＡＰはＸＭＬ（Ｅｘｔｅｎｓｉｂｌｅ  Ｍａｒｋｕｐ  Ｌａｎｇｕａｇｅ）形式で記述されたメッセージを用いて、ＨＴＴＰ（Ｈｙｐｅｒ  Ｔｅｘｔ  Ｔｒａｎｓｆｅｒ  Ｐｒｏｔｏｃｏｌ）等の通信プロトコルにより、ネットワーク上のオブジェクトデータにアクセスするためのプロトコルである。ＳＯＡＰを用いた通信においては、ＨＴＴＰやＳＭＴＰ（Ｓｉｍｐｌｅ  Ｍａｉｌ  Ｔｒａｎｓｆｅｒ  Ｐｒｏｔｏｃｏｌ）、ＦＴＰ（Ｆｉｌｅ  Ｔｒａｎｓｆｅｒ  Ｐｒｏｔｏｃｏｌ）等のプロトコルが下位プロトコルとして使用される。ＳＯＡＰを用いた通信により、ＯＳ等の環境が異なるコンピュータ間におけるオブジェクトデータの通信が可能となる。なお、必ずしもＳＯＡＰを利用しなくても、他の汎用プロトコルによりオブジェクトデータを利用することができる。
【００２２】
データ生成装置１０はセンサーから出力されたデータに基づいて、オブジェクトデータを生成し、サーバーシステム３０等へ送信する。例えば、データ生成装置１０がサーバーシステム３０に対してデータを送信する場合、データ生成装置１０は、まず受信可能かどうか問い合わせるための問い合わせ情報を含むメッセージデータをＨＴＴＰ等のプロトコルに基づいて、サーバーシステム３０に送信する。サーバーシステム３０は受信したメッセージデータを解釈し、データ生成装置１０へ返答するための返答情報を含むメッセージデータを作成する。続いて、サーバーシステム３０はデータ生成装置１０へメッセージデータを、ＨＴＴＰ等のプロトコルに基づいて送信する。データ生成装置１０はこのメッセージデータを受信して解釈し、サーバーシステム１０が受信可能状態であると判断した場合に、ＨＴＴＰ等のプロトコルに基づいて、オブジェクトデータに基づいたメッセージデータをサーバーシステム３０へ送信する。
【００２３】
図２はデータ生成装置１０の構成を機能的に示すブロック図である。データ生成装置１０には、センサーＳ１〜Ｓｍ（ｍは正の整数）およびモニター／コントローラー５０が接続されている。モニター／コントローラー５０は、センサーｓ１〜ｓｎ（ｎは正の整数）を取り扱う専門メーカーによって設置された計測・制御機器やＢＡＳ（Ｂｕｉｌｄｉｎｇ  Ａｕｔｏｍａｔｉｏｎ  Ｓｙｓｔｅｍ）等のモニターまたはコントローラーである。センサーＳ１〜Ｓｍおよびセンサーｓ１〜ｓｎは建物・設備等に設置された各種のセンサーである。これらのセンサーから出力されるデータは、電圧、電流、電力量、積算電力量、外気温度、および外気湿度等の施設や、設備、機器等の計測データと、異常状態を知らせるアラームデータとである。
【００２４】
データ生成装置１０は、入力部１０１、Ａ／Ｄ変換部１０２、通信回路１０３、接続部１０４、パルス変換部１０５、オブジェクト化部１０６、入力部１０７、通信回路１０８、接続部１０９、記憶部１１０、汎用通信化部１１１、通信部１１２、通信回路１１３、インタフェース部１１４、無線インタフェース部１１５を備えている。
【００２５】
センサーＳ１〜Ｓｍおよびセンサーｓ１〜ｓｎから出力されるデータの形式は、アナログ、デジタル、またはパルスのいずれかである。センサーによっては、内部にＡ／Ｄ変換器を備え、デジタルデータを出力するものもある。また、電力積算量などの積算型のデータはパルス状のデータであることが多い。センサーＳ１〜Ｓｍから出力されたアナログ、デジタル、またはパルスのデータは、入力部１０１に入力される。
【００２６】
Ａ／Ｄ変換部１０２は、入力部１０１から出力されたアナログおよびパルスのデータをデジタル（デジタルパルス）データに変換し、通信回路１０３へ出力する。Ａ／Ｄ変換部１０２は、デジタルデータに対してはデータの変換を行わない。デジタルデータは接続部１０４に入力される。パルス変換部１０５は、デジタルパルスデータに対して、単位時間当たりのパルス数を計上し、センサーによる計測値を示すデジタルデータへ変換する。オブジェクト化部１０６は、パルス変換部１０５および接続部１０９から出力されたデータに基づいて、意味付けのなされたオブジェクトデータを生成する。オブジェクト化部１０６による処理の詳細は後述する。
【００２７】
センサーｓ１〜ｓｎから出力されたデータはモニター／コントローラー５０に入力される。モニター／コントローラー５０からは、専門メーカに依存した形式のデジタルデータが出力される。このデジタルデータは、入力部１０７に入力され、通信回路１０８を介して、接続部１０９に入力される。このデジタルデータは、接続部１０９からオブジェクト化部１０６へ出力される。
【００２８】
オブジェクト化部１０６はオブジェクトデータを生成し、記憶部１１０に格納する。記憶部１１０はオブジェクトデータを記憶すると共に、各種センサーからの出力データに関する情報やセンサーの設置場所等に関する情報を含む設定情報等を記憶する。汎用通信化部１１１は、オブジェクトデータを記憶部１１０から読み出し、そのオブジェクトデータに基づいて、ＸＭＬ形式のデータ（ＸＭＬ文書）を作成する。そして、汎用通信化部１１１は、作成したＸＭＬ文書に対して、通信に必要な付帯情報を付加し、ＳＯＡＰに基づいた形式のメッセージデータを生成する。また、汎用通信化部１１１は、外部のネットワークから入力されたメッセージデータを通信部１１２から受け取り、メッセージデータの解釈を行う機能も備えている。
【００２９】
通信部１１２は外部との通信に関する制御を行う。通信部１１２は、外部のネットワークから入力されたメッセージデータを通信回路１１３から取得し、汎用通信化部１１１へ出力する。また、通信部１１２は、汎用通信化部１１１から出力されたメッセージデータを通信回路１１３へ出力する。インタフェース部１１４は、通信ケーブルを介して外部のネットワーク（インターネット、ＬＡＮ等）に接続される。無線インタフェース部１１５は、無線通信によって外部のネットワーク（インターネット、無線ＬＡＮ等）に接続される。無線インタフェース部１１５は、例えば、カードスロットを備えている。そのカードスロットに無線ＬＡＮカードが挿入されることにより、外部との無線通信が可能となる。
【００３０】
オブジェクト化部１０６、汎用通信化部１１１、および通信部１１２が有する機能は、例えば、コンピュータのＣＰＵ（中央処理装置）によって実現される。また、記憶部１１０は、例えば、ハードディスクドライブやメモリ内の記憶領域である。
【００３１】
データ生成装置１０は、他のデータ生成装置１０に対して、インタフェース部１１４または無線インタフェース部１１５を介して接続することができる。各種センサー同士が離れて点在している場合や、入力部１０１または入力部１０７の入力数に制限がある場合などには、データ生成装置１０を複数接続して用いることができるので、システムの管理者は拡張性の高いシステムを構築することができる。
【００３２】
なお、データ生成装置１０の構成は上記の構成に限定されない。例えば、図２の範囲Ａ内の構成が同一の装置内に収められ、範囲Ｂ内の入力部１０１、Ａ／Ｄ変換部１０２等はその装置とは独立して設置されていてもよいし、範囲Ａおよび範囲Ｂ内の構成が全て同一の装置内に収められていてもよい。また、データ生成装置１０内に、各種のセンサーが設けられていてもよい。
【００３３】
さらに、入力部１０１および１０７は別個の構成であってもよいし、同一の構成であってもよい。すなわち、センサーＳ１〜Ｓｍからのデータが入力される入力ルートａと、センサーｓ１〜ｓｎからのデータが入力される入力ルートｂは別個のルートであってもよいし、それらが統合された１つのルートであってもよい。
【００３４】
次に、記憶部１１０に格納されている設定情報を説明する。設定情報は、センサーが設置される場所に関する場所情報、センサーからの複数の出力データを識別するための識別情報、出力データの種別を示す種別情報、および出力データの形式に関する形式情報を含んでいる。
【００３５】
場所情報は、センサーが設置される特定の建物や設備等の固有名称に関する情報である。識別情報は、オブジェクト化部１０６に入力されるデータを識別するための情報である。例えば、複数の信号線を用意し、各センサーからの出力データに対して個別に信号線を割り当てることにより、各出力データと各信号線とを１対１の関係で対応させることができる。また、複数のデジタルデータを多重化し、多重化したデータに対して１本の信号線を割り当てることも考えられる。この場合、複数の異なるデジタルデータに対して送信の順番が割り当てられ、概ねその順番に従ってデジタルデータが送信されるので、各デジタルデータが送信される順番と各デジタルデータとを１対１の関係で対応させることができる。識別情報は、以上のような対応関係を示す情報であり、物理的な結線の関係や通信規約等に基づいて、予め作成された情報である。
【００３６】
種別情報は、データの種別に関する情報である。種別情報は、電圧値や、電流値、電力量、温度等を示す情報を含み、さらに詳細に言えば、瞬時電圧値や、瞬時電流値、積算電力量、外気温度、冷水供給温度等を示す情報を含む。また、種別情報は、これらのデータが最大値、最小値、平均値等のいずれであるのかを示す情報も含む。さらに、種別情報は、センサー等の異常に関係するデータを示す情報も含む。例えば、センサーは、故障やデータの未取得等の異常状態を検出した場合に、異常を示すアラームデータを出力することがある。種別情報は、以上のようなデータの種別に関する情報である。
【００３７】
形式情報は、出力データの形式を示す情報である。形式情報は、データの単位に関する単位情報と、データのプレフィックスに関するプレフィックス情報とを含む。単位情報とは、データ種別とそのデータの単位とを対応付けた情報である。例えば、単位情報は、積算電力量を示す数値に対してＷという単位を対応付け、外気温度を示す数値に対して℃という単位を対応付けるということを示している。プレフィックス情報は、データのプレフィックス（キロ、メガ等）に関する情報である。例えば、１０というデータに対してＷという単位が関係付けられていた場合に、その数値が１０Ｗなのか、１０ｋＷなのかを特定するための情報がプレフィックス情報である。なお、上記の情報に対して付与された名称は、説明の便宜のために付与されたものであり、それによって実際のデータの形式が限定される訳ではない。
【００３８】
次に、モニター／コントローラー５０から出力されるデータについて説明する。モニター／コントローラー５０から出力されるデータは専門メーカに依存した形式のデータである。専門メーカの中には、その形式に関する規約を公表しているものがあり、その規約に従えば、専門メーカに依存した形式のデータを汎用的な数値データに変換することが可能となる。記憶部１１０は、上記の変換に必要な変換情報を記憶している。オブジェクト化部１０６は、記憶部１１０から変換情報を読み出して参照し、接続部１０９から出力されたデータを汎用的な数値データに変換する。なお、専門メーカがデータの形式に関する規約を公表していない場合は、入力ルートａのように、センサーとデータ生成装置１０とを直接接続してデータを取得すればよい。
【００３９】
次に、オブジェクト化部１０６によるオブジェクトデータの生成方法を説明する。オブジェクト化部１０６は、記憶部１１０から設定情報を読み出して参照すると共に、内部クロックが示す時間情報（時刻情報）を参照する。なお、オブジェクト化部１０６は、上記の設定情報をサーバーシステム３０等のサーバーから読み出して参照してもよい。オブジェクト化部１０６は、設定情報および時間情報に基づいて、センサーからの出力結果を示すデジタルデータからオブジェクトデータを生成する。オブジェクトデータ中に含まれるオブジェクトの生成手法は以下のとおりである。オブジェクト化部１０６は、設定情報中の場所情報に基づいて、場所オブジェクトを生成する。場所オブジェクトは、センサーまたはデータ生成装置１０が設置されている建物や設備等の固有名称に関係付けられている。また、オブジェクト化部１０６は、時間情報に基づいて、時間オブジェクトを生成する。時間オブジェクトは、オブジェクトデータが生成された時間（時刻）に関係付けられている。
【００４０】
また、オブジェクト化部１０６は、設定情報中の種別情報に基づいて、計測ポイント名称オブジェクトを生成する。計測ポイント名称オブジェクトは、データの種別に関係付けられている。また、オブジェクト化部１０６は、設定情報中の形式情報に基づいて、測定データ単位オブジェクトと測定データ量の単位オブジェクトとを生成する。測定データ単位オブジェクトは、データの単位（Ｗ、Ｖ、Ａ、℃等）に関係付けられている。測定データ量の単位オブジェクトは、データのプレフィックスに関係付けられている。
【００４１】
また、オブジェクト化部１０６は、設定情報中の種別情報に基づいて、アラームデータのオブジェクトを生成する。アラームデータのオブジェクトは、故障やデータの未取得等の異常状態を示す不具合データに関係付けられている。アラームデータのオブジェクトは、不具合データがオブジェクト化部１０６に入力された場合に生成される。オブジェクト化部１０６は、以上の動作により、測定データに対して意味付けのなされたオブジェクトデータを生成する。
【００４２】
図３は、オブジェクト化部１０６によって生成されたオブジェクトデータ１０００の内容を示す参考図である。オブジェクトデータ１０００は、場所オブジェクト１００１、時間オブジェクト１００２、計測ポイント名称オブジェクト１００３、測定データ量１００４、測定データ単位オブジェクト１００５、測定データ量の単位オブジェクト１００６、およびアラームデータのオブジェクト１００７によって構成されている。測定データ量１００４は、オブジェクト化部１００６に入力された数値データである。
【００４３】
場所オブジェクト１００１〜アラームデータのオブジェクト１００７が測定データ量１００４に関係付けられることにより、オブジェクトデータ１０００は他のオブジェクトデータとの識別が可能なデータとなる。これにより、オブジェクトデータ１０００は、情報提供システムのどこに存在していてもよい。
【００４４】
次に、情報提供システムにおいて、ユーザに対する情報提供の方法を説明する。データ生成装置１０は、例えばサーバーシステム３０に対して、データの受信が可能であるかどうか確認するための問い合わせ情報を含むメッセージデータを送信する。この場合、汎用通信化部１１１がメッセージデータを作成する。サーバーシステム３０におけるサーバー（例えばＷＥＢサーバー）はこのメッセージデータを受信し、データ生成装置１０に対して返答するための返答情報を含むメッセージデータを作成してデータ生成装置１０へ送信する。
【００４５】
このメッセージデータは、ネットワーク１を介して、インタフェース部１１４または無線インタフェース部１１５に入力される。メッセージデータは、通信回路１１３を介して、通信部１１２に入力される。通信部１１２は、このメッセージデータを汎用通信化部１１１へ出力する。汎用通信化部１１１は、メッセージデータを解釈し、サーバーが受信可能状態であるかどうかを判断する。
【００４６】
サーバーが受信可能状態である場合、汎用通信化部１１１はオブジェクトデータを記憶部１１０から読み出し、そのオブジェクトデータに基づいてＸＭＬ文書を作成する。そして、汎用通信化部１１１は、作成したＸＭＬ文書に対して、通信に必要な付帯情報を付加し、ＳＯＡＰに基づいた形式のメッセージデータを生成する。続いて、汎用通信化部１１１は通信部１１２へメッセージデータを出力する。通信部１１２は、インタフェース部１１４または無線インタフェース部１１５へメッセージデータを出力する。このメッセージデータは、サーバーシステム３０へ送信される。
【００４７】
サーバーシステム３０においては、ＷＥＢサーバーがデータ生成装置１０からメッセージデータを受信し、メッセージデータの解釈を行う。ＷＥＢサーバーはメッセージデータの解釈によって、オブジェクトデータを取得する。ＷＥＢサーバーはアプリケーションサーバーからの要求に応じて、オブジェクトデータをアプリケーションサーバーへ渡す。アプリケーションサーバーは、オブジェクトデータをデータベースサーバーへ蓄積したり、データベースサーバーからオブジェクトデータを読み出して、データの加工を行ったりする。
【００４８】
アプリケーションサーバーは、例えば、使用電力量を示すオブジェクトデータを読み出し、そのオブジェクトデータによって示される計測データに基づいて、特定の建物における毎分や毎時等の使用電力量を示すグラフ等を作成する。あるいは、アプリケーションサーバーは、特定の建物に設置された空調機器の温度を示すオブジェクトデータを読み出し、毎分や毎時等の温度を示すグラフ等を作成する。作成されたグラフに関する情報は、データベースサーバーに格納されたり、ＷＥＢサーバーからの要求に応じて、ＷＥＢサーバーへ渡されたりする。もちろん、アプリケーションサーバは電力や温度以外にも様々な計測データに関する情報を作成することができる。
【００４９】
ユーザー端末２０から特定のデータの要求があった場合、サーバーシステム３０におけるＷＥＢサーバーは、要求されたデータに基づいてＸＭＬ文書を作成し、ＳＯＡＰに基づいた通信によってユーザー端末２０へ送信する。ユーザー端末２０のＷＥＢブラウザ上では、要求したデータがグラフ等の形式で表示される。例えば、過去１週間の毎時の使用電力量等のグラフがＷＥＢブラウザ上で表示される。これにより、情報提供システムは、ユーザー端末２０の使用者である、建物や施設の所有者や、居住者、管理者等に有益な情報を提供することができる。
【００５０】
なお、情報提供システムで行われる通信はＳＯＡＰに基づいた通信に限定される訳ではない。通信は、例えば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）、ＨＴＴＰ、ＦＴＰ等のプロトコルに従ってＨＴＭＬ（Ｈｙｐｅｒ  Ｔｅｘｔ  Ｍａｒｋｕｐ  Ｌａｎｇｕａｇｅ）文書等を送受信するような通信であってもよい。
【００５１】
以上で説明したように、本実施形態によれば、データ生成装置１０はセンサー等から出力されたデータに対して、そのデータを唯一に識別するための意味付けを行い、オブジェクトデータを生成する。これにより、データは単なる数値を示すデータではなく、数値データに対して、時間、場所、データ名称等が関係付けられた汎用的なフォーマットのデータとなる。したがって、このデータは、仕様の異なるシステムにおいても、使用可能なデータであり、データの利便性が向上する。また、このデータを用いることにより、ユーザに対して有益な情報を提供することができる。
【００５２】
また、データ生成装置１０は、専門メーカによって公表された通信規約等に基づいた変換情報に基づいて、専門メーカ独自の形式のデータを汎用的な数値データに変換することができる。これにより、専門メーカの計測・制御機器やＢＡＳ等のモニターやコントローラーから出力されたデータも利用することができる。
【００５３】
また、サーバーシステム３０等において使用されるオブジェクトデータが汎用的なフォーマットを有するので、そのデータを使用するシステムの形態は、サーバーシステム３０〜３２や分析サーバー４０のような様々な形態が可能である。もちろん、ユーザ端末２０がデータ生成装置１０から直接オブジェクトデータを入手し、そのデータを利用することもできる。
【００５４】
また、データ生成装置１０によって生成されたオブジェクトデータは、他のオブジェクトデータとの識別が可能なデータとなる。これにより、データ量が膨大になっても、そのデータを利用するコンピュータが各データを容易に識別することができる。したがって、情報提供システムの設計者や管理者は、ネットワーク１に対するデータ生成装置１０の接続数の増加に対して容易に対応することができる。以上のように、設計者や管理者は、拡張性の高い情報提供システムを構築することができる。
【００５５】
以上、図面を参照して本発明の実施形態について詳述してきたが、具体的な構成はこれらの実施の形態に限られるものではなく、この発明の要旨を逸脱しない範囲の設計変更等も含まれる。
【図面の簡単な説明】
【００５６】
【図１】本発明の一実施形態による情報提供システムの構成を示すブロック図である。
【図２】データ生成装置１０の構成を示すブロック図である。
【図３】オブジェクトデータの内容を示す参考図である。
【符号の説明】
【００５７】
１・・・ネットワーク、１０・・・データ生成装置、２０・・・ユーザ端末、３０，３１，３２・・・サーバーシステム、４０・・・分析サーバー、５０・・・モニター／コントローラー、１０１，１０７・・・入力部、１０２・・・Ａ／Ｄ変換部、１０３，１０８，１１３・・・通信回路、１０４，１０９・・・接続部、１０５・・・パルス変換部、１０６・・・オブジェクト化部、１１０・・・記憶部、１１１・・・汎用通信化部、１１２・・・通信部、１１４・・・インタフェース部、１１５・・・無線インタフェース部。
【図１】
2005242534.tif 000003
【図２】
2005242534.tif 000004
【図３】
2005242534.tif 000005